(57)【要約】【課題】使い心地を向上する。【解決手段】寝具を載置する寝具載置面を有する寝具受け枠３を具えたベッド１である。前記寝具受け枠３は、非傾動の基部７、ベッド長さ方向の一端部がこの基部側で折曲げ可能に取り付けられる第１の可動部８、及び第１の可動部８の他端部側に、該第１の可動部８に対して少なくとも上昇可能に設けられた第２の可動部９とを含む。基部７と第１の可動部８と第２の可動部９との寝具載置面が同一平面状となる伸展状態Ｓと、基部７と第１の可動部８との寝具載置面が同一平面状、かつ第２の可動部９のみを第１の可動部８に対して段差を有して上昇させた初期リクライニング状態Ｒ１と、第１の可動部８と第２の可動部９との相対位置を保持したまま第１の可動部８を基部７に対して傾けて起き上がらせた後期リクライニング状態Ｒ２とに変化させる受け枠駆動部Ｄを有する。【選択図】  図５
2004305553.tif 000002
【特許請求の範囲】
【請求項１】
寝具を載置する寝具載置面を有する寝具受け枠を具えたベッドであって、
前記寝具受け枠は、非傾動の基部、ベッド長さ方向の一端部がこの基部側で折曲げ可能に取り付けられる第１の可動部、及び前記第１の可動部の他端部側に、該第１の可動部に対して少なくとも上昇可能に設けられた第２の可動部とを含み、
前記基部と前記第１の可動部と前記第２の可動部との寝具載置面が同一平面状となる伸展状態と、
前記基部と前記第１の可動部との寝具載置面が同一平面状、かつ前記第２の可動部のみを前記第１の可動部に対して段差を有して上昇させた初期リクライニング状態と、
第１の可動部と第２の可動部との相対位置を保持したまま第１の可動部を前記基部に対して傾けて起き上がらせた後期リクライニング状態とに変化させる受け枠駆動部を有することを特徴とするベッド。
【請求項２】
前記初期リクライニング状態は、前記第２の可動部が、第１の可動部に向かって下降する向きに２〜１０度の角度で傾くことを特徴とする請求項１記載のベッド。
【請求項３】
前記第１の可動部と前記第２の可動部とは、高さ方向に位置ずれできかつ傾動可能に連結されることを特徴とする請求項１又は２記載のベッド。
【請求項４】
前記第１の可動部と前記第２の可動部とは、第１の可動部の前記他端部に設けられた上下にのびる筒状部と、前記第２の可動部に設けられかつ前記筒状部を上下にスライドできかつ上方への最大スライド時に前記筒状部に抜け止め保持されるスライド軸とを含む連結具を用いて連結されるとともに、
前記受け枠駆動部は、前記第２の可動部を押し上げることを特徴とする請求項１乃至３のいずれかに記載のベッド。
【請求項５】
前記筒状部は、第１の可動部に対してベッド幅方向に沿った水平軸回りで傾動可能に設けられることを特徴とする請求項４に記載のベッド。
【請求項６】
前記スライド軸は、前記筒状部に隙間を有して遊挿されることを特徴とする請求項４又は５に記載のベッド。
【請求項７】
前記寝具受け枠は、その下方に位置するベッド枠体で支持されるとともに、
前記受け枠駆動部は、ベッド長さ方向の垂直面内で回動可能かつ前記ベッド枠体側で一端部が枢着されるアーム体と、
このアーム体の他端部と前記第２の可動部とを連結する継ぎリンクと、
前記ベッド枠体に取り付けられかつ前記アーム体を傾動させることにより第２の可動部を上昇させる駆動器とを含むことを特徴とする請求項１乃至６のいずれかに記載のベッド。
【請求項８】
前記ベッド枠体は、倒立Ｖ字状に折曲げ可能な一対のベッド枠半体であり、
かつ前記基部は一方のベッド枠半体に固定された主体部と、他方のベッド枠半体に固定される小長さの副部とからなり、
かつ前記アーム体は他方のベッド枠半体に取り付けられることを特徴とする請求項７記載のベッドである。
【発明の詳細な説明】
【０００１】
【発明の属する技術分野】
本発明は、使い心地を向上しうるベッドに関する。
【０００２】
【従来の技術】
近年の生活習慣では、ベッドの上で横になったままテレビを見たり或いは読書をしたり、さらには軽い食事をとること等が頻繁に行われつつある。このようなベッドの使用形態に鑑み、例えば図９に示すように、寝台部の一部（例えば頭部側）に起き上がる向きに折り曲げ可能な第１の傾動部ｂ１と、この第１の傾動部ｂ１に対してさらに折り曲げしうる第２の傾動部ｂ２とを設けたベッドａが下記特許文献１により提案されている。
【０００３】
【特許文献１】
特開２００３−２４１７９号公報
【０００４】
このベッドａでは、図のように、第２の傾動部ｂ２のみを起き上がる向きに傾けた初期リクライニング状態Ｒ１と、第２の傾動部ｂ２を傾けたまま第１の傾動部ｂ１を起きあがらせた後期リクライニング状態Ｒ２とに変化することができる。ユーザは、通常、第２の傾動部ｂ２に、頭部を載置して該ベッドａ使用する。
【０００５】
【発明が解決しようとする課題】
しかしながら、上述のような従来のベッドａでは、第２の傾動部ｂ２は、第１の傾動部ｂ１と折り曲げ可能に連結されている。このため、初期リクライニング状態Ｒ１では、頭部を起こすことができるものの、ある程度の高さを確保するために、第２の傾動部ｂ２の折れ曲がり角度θを２０度以上としている。このような場合、ユーザは、あごが引けた状態となるため頸部が圧迫されやすい。特に枕を使用しているときにはこのような傾向が顕著となる。また後期リクライニング状態Ｒ２においても、第１の傾動部ｂ１と第２の傾動部ｂ２との上記相対角度θが維持されたままであるため、同様に頸部が窮屈となりやすい。このように、従来のベッドでは、リクライニング状態に関してさらなる改善の余地がある。
【０００６】
本発明は、以上のような問題点に鑑み案出なされたもので、第２の可動部を第１の可動部に対して上昇可能に設けることを基本として、より快適なリクライニング状態を作り出しさらに使い心地を高めうるベッドを提供することを主たる目的としている。
【０００７】
【課題を解決するための手段】
本発明のうち請求項１記載の発明は、寝具を載置する寝具載置面を有する寝具受け枠を具えたベッドであって、前記寝具受け枠は、非傾動の基部、ベッド長さ方向の一端部がこの基部側で折曲げ可能に取り付けられる第１の可動部、及び前記第１の可動部の他端部側に、該第１の可動部に対して少なくとも上昇可能に設けられた第２の可動部とを含み、前記基部と前記第１の可動部と前記第２の可動部との寝具載置面が同一平面状となる伸展状態と、前記基部と前記第１の可動部との寝具載置面が同一平面状、かつ前記第２の可動部のみを前記第１の可動部に対して段差を有して上昇させた初期リクライニング状態と、第１の可動部と第２の可動部との相対位置を保持したまま第１の可動部を前記基部に対して傾けて起き上がらせた後期リクライニング状態とに変化させる受け枠駆動部を有することを特徴としている。
【０００８】
また請求項２記載の発明は、前記初期リクライニング状態は、前記第２の可動部が、第１の可動部に向かって下降する向きに２〜１０度の角度で傾くことを特徴とする請求項１記載のベッドである。
【０００９】
また請求項３記載の発明は、前記第１の可動部と前記第２の可動部とは、高さ方向に位置ずれできかつ傾動可能に連結されることを特徴とする請求項１又は２記載のベッドである。
【００１０】
また請求項４記載の発明は、前記第１の可動部と前記第２の可動部とは、第１の可動部の前記他端部に設けられた上下にのびる筒状部と、前記第２の可動部に設けられかつ前記筒状部を上下にスライドできかつ上方への最大スライド時に前記筒状部に抜け止め保持されるスライド軸とを含む連結具を用いて連結されるとともに、前記受け枠駆動部は、前記第２の可動部を押し上げることを特徴とする請求項１乃至３のいずれかに記載のベッドである。
【００１１】
また請求項５記載の発明は、前記筒状部は、第１の可動部に対してベッド幅方向に沿った水平軸回りで傾動可能に設けられることを特徴とする請求項４に記載のベッドである。
【００１２】
また請求項６記載の発明は、前記スライド軸は、前記筒状部に隙間を有して遊挿されることを特徴とする請求項４又は５に記載のベッドである。
【００１３】
また請求項７記載の発明は、前記寝具受け枠は、その下方に位置するベッド枠体で支持されるとともに、前記受け枠駆動部は、ベッド長さ方向の垂直面内で回動可能かつ前記ベッド枠体側で一端部が枢着されるアーム体と、このアーム体の他端部と前記第２の可動部とを連結する継ぎリンクと、前記ベッド枠体に取り付けられかつ前記アーム体を傾動させることにより第２の可動部を上昇させる駆動器とを含むことを特徴とする請求項１乃至６のいずれかに記載のベッドである。
【００１４】
また請求項８記載の発明は、前記ベッド枠体は、倒立Ｖ字状に折曲げ可能な一対のベッド枠半体であり、かつ前記基部は一方のベッド枠半体に固定された主体部と、他方のベッド枠半体に固定される小長さの副部とからなり、かつ前記アーム体は他方のベッド枠半体に取り付けられることを特徴とする請求項７記載のベッドである。
【００１５】
【発明の実施の形態】
以下本発明の実施の一形態を図面に基づき説明する。
図１には、本実施形態のベッド１の分解斜視図を示す。本実施形態のベッド１は、倒立Ｖ字状に折曲げ可能なベッド枠体２と、該ベッド枠体２の上に配されかつ寝具を載置する寝具載置面ｍを有する寝具受け枠３とを具えるものが例示される。
【００１６】
前記ベッド枠体２は、第１のベッド枠半体４と第２のベッド枠半体５とで構成されている。
【００１７】
前記第１のベッド枠半体４は、枠材を例えば平面視で略コ字状ないし矩形状（本例ではコ字状）に折り曲げた主枠４ａと、縦横にのびる適宜の補強材４ｂ、４ｃとを一体に固着して形成される。第１のベッド枠半体４は、実質的にベッド長さの略半分の長さをもっている。第１のベッド枠半体４は、ベッド長さ方向の中間部側に位置する内端部が、継ぎ材６にピン等を用いて回動可能に枢着される。また第１のベッド枠半体４の外端部側には、第１の脚部材１０が、ベッドの幅方向の両側に設けられる。
【００１８】
前記第１の脚部材１０、１０は、本例では逆Ｔ字状をなす脚フレーム１０ａと、その下部に取り付けられたキャスター車輪１０ｂとで構成される。脚フレーム１０ａは、第１のベッド枠半体４にピンにて回動可能に取り付けられる。また両側の第１の脚部材１０，１０は、第１のベッド枠半体４の下方でベッド幅方向にのびる連結板１１によって一体に固着される。また本実施形態では、第１のベッド枠半体４の外端部に、化粧仕上げされかつ垂直に立ち上がる宮板１３が取り付けられたものを例示している。特に限定はされないが、好適な使用例として、この第１のベッド枠半体４側にユーザの上半身を載置させる。
【００１９】
前記第２のベッド枠半体５は、第１のベッド枠半体４と同様に枠材を略コ字状に折り曲げた主枠５ａと、縦横にのびる補強材５ｂ、５ｃとを一体に固着して形成される。第２のベッド枠半体５も、ベッド長さの約半分の長さ（例えば９００〜１０００ｍｍ）をもっている。該第２のベッド枠半体５は、そのベッド長さ方向の中間部に位置する内端部が、前記継ぎ材６にピンにて回動可能に枢着される。本実施形態では、第１、第２のベッド枠半体４、５は、それぞれベッド長さ方向で離間したそれぞれ別の軸で支承されるが、同じ軸で支承することでも良い。第２のベッド枠半体５の前記主枠５ａには、ベッド幅方向に突出した取付軸１４を介して、第２の脚部材１５が固着される。これにより、折り畳み時、第１、第２の脚部材１０、１５が干渉するのを防止できる。第２の脚部材１５は、第２のベッド枠半体５から高さ方向に突出する部分によって手摺りを兼ねるとともに、下方にのびる端部には、接地する車輪１６が設けられる。これらにより、折り畳み時に、第１、第２のヘッド枠半体４、５を円滑に移動させることができる。
【００２０】
ベッド幅方向の両側に設けられた前記継ぎ材６、６は、連結板１７により一体に固着されるとともに、この連結材１７には、中間支脚部１９が固着される。中間支脚部１９は、水平状態で床面と接地する。これにより、第１、第２の脚部材１０、１５及び中間支脚部１９でベッド荷重を支持し、使用時の安定性を高める。図１では省略したが、図２に示すように、中間支脚部１９と第１のベッド枠半体４との間、及び、中間支脚部１９と第２のベッド枠半体５との間には、夫々折畳み労力を軽減する例えば引張バネ２０を架け渡すことができる。このようなベッド１は、継ぎ材６の一端に前記第１のベッド枠半体４を、かつ継ぎ材６の他端に前記第２のベッド枠半体５をそれぞれ枢支しているため、第１のベッド枠半体２と第２のベッド枠半体３とは、互いに垂直位置となるよう折り曲げることによりベッド１をコンパクトに収納できる。この際、引張バネ２０は、折畳み時の操作力を軽減する。なお引張バネ２０の架設位置を変えることができ、また電動機などを使用して、自動によりベッド１の折畳み、展開動作を行わせることが可能である。
【００２１】
前記寝具受け枠３は、ヘッド枠体２に対して非傾動の基部７と、ベッド長さ方向の一端部８ｉがこの基部７側で折曲げ可能に取り付けられる第１の可動部８と、第１の可動部８の他端部８ｏ側に、該第１の可動部８に対して少なくとも上昇可能に設けられた第２の可動部９とを含んで構成される。
【００２２】
前記基部７は、本例では第２のベッド枠半体５に固定された主体部７Ａと、第１のベッド枠半体４に固定されかつ前記主体部７Ａよりも小長さの副部７Ｂとから構成される。主体部７Ａと副部７Ｂとは、小隙間を介してはいるが、実質的に連続した寝具載置面ｍを形成する。主体部７Ａは、図２に示すように、第２のベッド枠半体５と同長さでかつやや広幅の矩形状をなす。また主体部７Ａは、例えばパイプ材などを矩形に折り曲げた枠体７Ａ１と、この枠体７Ａ１が囲む空所に配された金網状の下張り材７Ａ２と、桟状の補強材７Ａ３とを固着して構成され、ボルト等を用いてを第２のベッド枠５の上に一体に固着されている。
【００２３】
前記副部７Ｂは、平面視がコ字状の枠体７Ｂ１と、この枠体７Ｂ１が囲む空所に金網状の下張り材７Ｂ２と、適宜の補強材７Ｂ３とを固着して形成される。また副部７Ｂも、ボルト等を用いて第１のベッド枠半体４の上部に固着される。なお副部７Ｂには、ユーザの腰部付近が載置されるため、例えば金網状の下張り材７Ｂ２に変えて、例えばよりクッション性を高めうるウッドスプリングなどを上面部分に配することも好ましく実施できる。
【００２４】
前記第１の可動部８は、パイプ材等を横長矩形状に結合した枠体８Ａと、この枠体８Ａが囲む空所に配され寝具を載置可能な下張り材８Ｂとを含んで構成される。また第１の可動部８の一端部８ｉと副部７Ｂとは、図５に拡大して示す如く、連結金具２１とピンＰ１とを用いて傾動可能に連結される。なお第１の可動部８の他の部分は第１のベッド枠半体に固着されてはいない。従って、第１の可動部８は、下方の第１のベッド枠半体４の主枠４ａによって支持される水平位置と、基部７に対して折れ曲げり、第１のベッド枠半体４から起き上がる位置とに変化できる。本実施形態では、第１の可動部８の一端部８ｉが、副部（基部７Ｂ）と傾動可能に連結されているが、例えば一端部８ｉを直接第１のベッド枠半体４に傾動可能に連結させても良い。
【００２５】
前記第２の可動部９は、パイプ材等を横長矩形状に構成した枠体９Ａと、この枠体９Ａが囲む空所に配され寝具を載置可能な下張り材９Ｂと、ベッド長さ方向などにのびる補強材９Ｃとを含んで構成される。第１の可動部８の他端部８ｏとはベッド長さ方向に小隙間を介して配置される。また第２の可動部９は、ユーザの頭部を載置しうるのに適した長さ（ベッド長さ方向に沿った長さ）が好ましい。特に限定はされないが、例えば３００〜４００ｍｍ程度の長さで形成されるのが好ましい。
【００２６】
本実施形態では、寝具受け枠３において、前記各部の下張り材７Ａ２、７Ｂ２、８Ｂ又は９Ｂを含む平面が寝具載置面ｍをなす。この寝具載置面ｍの上にマットレス等を単に載置しても良いが、好ましくは、図７に部分的に示すように、それぞれの下張り材（この例では７Ａ２）の上にスポンジ、チップウレタンフォーム、その他のクッション材からなる寝具Ｃ２を固着し、さらに枠体７Ａ２とともにこれらシーツ状の被覆カバーＣ１で被覆して寝具Ｃ２と一体に構成することが好ましい。
【００２７】
また本実施形態の寝具受け枠３は、前記第２の可動部９と前記第１の可動部８とが、連結具Ｊを介して連結されたものが例示される。
【００２８】
連結具Ｊは、図３、図４に拡大して示すように、第１の可動部８と第２の可動部９とを、高さ方向に位置ずれできかつ傾動可能に連結する。本例の連結具Ｊは、第１の可動部８の前記他端部８ｏに設けられた上下にのびる筒状部２２と、第２の可動部９に設けられかつ前記筒状部２２を上下にスライドしうるスライド軸２３とを含んで構成されたものが例示される。
【００２９】
前記筒状部２２は、例えば第１の可動部８の枠体８Ａのうち、第２の可動部９側においてベッド幅方向にのびる外枠部８Ａ１に取付金具２５を介して固着される。該取付金具２５は、前記外枠部８Ａ１に溶接、ボルト等により一体に固着され第２の可動部９側に突出する取付基体２５ａと、一端がこの取付基体２５ａに対してベッド幅方向の水平軸２５ｃの回りで小角度で傾動可能に設けられしかも他端側に前記筒状部２２を固着した首振り部２５ｂとで構成される。
【００３０】
前記取付基体２５ａは、本実施形態では下解放の溝型鋼が用いられる。また首振り部２５ｂは、ベッド幅方向に離間した垂直片２５ｂ１、２５ｂ１を円弧片２５ｂ２で連結した平面視略Ｕ字状の金具からなる。本例では前記円弧片２５ｂ２の内周面に前記筒状部２２が例えば溶着されものが例示される。筒状部２２は、断面円形のパイプ材からなり、第１の可動部８の枠材８Ａの上面から突出することなく下方へとのびている。
【００３１】
また前記スライド軸２３は、第２の可動部９の枠体９Ａのうち第１の可動部８側においてベッド幅方向にのびる内枠部９Ａ１に取付金具２６を介して固着される。該取付金具２６は、内枠部９Ａ１に溶接、ボルト等により一体に固着された固着片２６ａと、この固着片２６ａの上縁部から略水平に筒状部２２の上部へとのびる上片２６ｂとを含む断面Ｌ字状のものを例示する。上片２６ｂには、孔部２７が形成される。スライド軸２３は、本例では円形断面を有した軸部２３ａと、その下端に設けられた大径の抜け止め部２３ｂとを有する。軸部２３ａは、筒状部２２の内径よりも僅かに小さい外径を有し、筒状部２２内を円滑にスライドできる。また軸部２３ａの上端部は前記孔部２７に差し込まれ前記上片２６ｂに一体に固着される。また前記抜け止め部２３ｂは、筒上部２２の下端面と当接することによりスライド軸２３の最大スライド量を規制できる。
【００３２】
このような連結具Ｊは、例えば第２の可動部９が上向きに押し上げられると、スライド軸２３が筒状部２２に対して上昇できる。これにより、図３、図４（Ｂ）に示すように、第１の可動部８に対して段差を有して第２の可動部９を上昇させ得る。そしてスライド軸２３の抜け止め部２３Ｂが筒状部２２の下端と当接することによって、第１の可動部８に対する第２の可動部９の相対的な上昇量が規制できる。
【００３３】
スライド軸２３の最大スライド量は、軸部２３ａの長さを変えて行うことができる。好ましくは、最大スライド量を３０〜１００ｍｍ、より好ましくは３０〜８０ｍｍとすることが望ましい。そして、スライド軸２３が最大スライド量に達した後もさらに第２の可動部９を押し上げると、スライド軸２３の抜け止め部１３ｂが筒状部２２を持ち上げる。これにより、第１の可動部８は、第２の可動部９とともに持ち上げられ、副部７Ｂと連結された前記ピンＰ１を支点として基部７に対して折れ曲がりできる。
【００３４】
また図４（Ｂ）に示すように、第２の可動部９は、第１の可動部８に対して、該第１の可動部８に向かって下降する向きに２〜１０度の小さい角度θで傾けることができる。本実施形態では、角度θが、首振り部２５ｂの垂直片２５ｂ１が、取付基体２５ａと接触することで規制される。このように、本実施形態では第２の可動部９を第１の可動部８に対して従来よりも小さい角度θに規制して傾けることができる。なお角度θの中には、このような首振り部２５ｂの傾動に加え、筒状部２２とスライド軸２３とのガタによって生じる角度変位（筒状部２２の軸中心とスライド軸２３の軸中心とのずれによって生じる角度変位）が含まれる。ただし、首振り部２５ｂと取付基体２５ａとの角度を規制することなく構成しても良い。
【００３５】
連結具Ｊは、上記の具体的な実施形態に限定されるものではない。例えば筒状部２２とスライド軸２３とは、実質的なガタを無くしより円滑に直線運動が可能な直線軸受けを用いたリニアガイド部材、さらいは付勢力を有するガスダンパーなどを採用することもできる。
【００３６】
また本実施形態のベッド１は、図５に略示する如く、伸展状態Ｓと、初期リクライニング状態Ｒ１と、後期リクライニング状態Ｒ２とに変化させる受け枠駆動部Ｄを具えている。
【００３７】
伸展状態Ｓは、基部７と第１の可動部８と第２の可動部９との寝具載置面ｍが同一平面状（なおここで言う「同一平面状」とは、製造上の誤差やガタツキによって生じる程度の段差はあるが機構上同一平面上に位置させることを意図したものを含む。以下同じである。）の状態である。また初期リクライニング状態Ｒ１は、基部７と第１の可動部８との寝具載置面ｍが同一平面状、かつ第２の可動部９のみを第１の可動部８に対して段差を有して上昇させかつ本例では小角度で傾けた状態である。さらに後期リクライニング状態Ｒ２は、初期リクライニング状態Ｒ１における最高位置での第１の可動部８と第２の可動部９との相対位置を実質的に保持したまま、第１の可動部８を基部７に対して傾けて起き上がらせた状態である。
【００３８】
伸展状態Ｓは、ベッド１の寝台面を水平にできるため、枕を使用して通常の睡眠をとるのに適する。これに対して、初期リクライニング状態Ｒ１は、第２の可動部９だけが第１の可動部８に対して段差を有して上昇ししかも第１の可動部に向かって小角度で下降する向きに傾動するため、軽く頭部を起こして横になりたいような場合に特に好適な状態である。
【００３９】
図９に示した従来のベッドａでは、頭部を持ち上げるために、第２の傾動部ｂ２は、ある程度大きな角度θ、より具体的には２０度以上の角度で傾斜させる必要がある。これに対して、本実施形態のベッド１では、初期リクライニング状態Ｒ１において、第２の可動部９を、第１の可動部８に対して段差を有して上昇させうる。このため、第２の可動部９の傾斜は、２度よりも大かつ１０度以下程度の小さな角度θで十分に足りる。従って、図７に示すように、第２の可動部９に頭部を載置したユーザの頸部を圧迫することがなく、ベッド１の使い心地をより一層向上することができる。
【００４０】
また第２の可動部８の上昇量を前述の如く連結具Ｊで調節し、３０〜１００ｍｍ程度、より好ましくは３０〜８０ｍｍ程度とするなど、一般的な枕の高さに合わせることも好ましく実施できる。この場合、枕を使用することなくあたかも枕を使用したのと同様の感覚が得られ、ベッド１の利便性をさらに高める。
【００４１】
また後期リクライニング状態Ｒ２は、初期リクライニング状態Ｒ１における最大上昇時の第１の可動部８と第２の可動部９との相対位置を実質的に保持したまま第１の可動部８を前記基部７に対して傾けて起き上がらせた全ての状態を含む。特に限定はされないが、好適には第１の可動部８の起き上がり角度αは、最大で例えば５０〜６０°程度とするのが望ましい。また好ましくは、第１の可動部８は、３００〜４５０ｍｍ程度、より好ましくは３５０〜４５０ｍｍの長さ程度とするのが望ましい。これにより、図７に示すように、第１の可動部８の折れ曲がり位置をユーザの腰部により近接させて位置させることが可能となり、さらにリクライニング効果を高めることができる。
【００４２】
前記受け枠駆動部Ｄは、本例では図１、図２、図５に示す如く、ベッド長さ方向の垂直面内で回動可能かつベッド枠体２に一端部３０ａを枢着される一対のアーム体３０、３０と、このアーム体３０の他端部３０ｂと第２の可動部９とを連結する継ぎリンク３１と、前記アーム体３０を傾動させる駆動器３２とを含んで構成されたものが例示される。
【００４３】
第１のベッド枠半体４の主枠４ａには、その両側部分に一対の軸受け片３４、３４が固着される。この軸受け片３４、３４の間に、ベッド幅方向にのびる回転軸３５が回動自在に枢支される。アーム体３０、３０の各一端部３０ａは、この回転軸３５に固着されている。つまり、アーム体３０、３０は、回転軸３５を介してベッド枠体２（より具体的には第１のベッド枠半体４）に枢着される。アーム体３０、３０の他端部３０ｂは、宮板１３側へとのびている。なおこの実施形態では、アーム体３０は、前記スライド軸２３とベッド幅方向で位置ずれすることで互いに干渉することなく配されている。
【００４４】
また前記継ぎリンク３１は、図３に示すように、本例では一端がアーム体３０の前記他端部３０ｂに回動自在に枢着されるとともに、その他端が第２の可動部９の補強材９Ｃと金具３７を介して枢着される。継ぎリンク３１は、本例では、長さが等しい第１、第２の継ぎリンク３１ａ、３１ｂが含まれる。これにより、アーム体３０、第１、第２の継ぎリンク３１ａ、３１ｂ及び第２の可動部９とで平行リンク機構を形成している。
【００４５】
前記駆動器３２として、本例では図１に示すように、電動機などを有する本体部３２ａと、該電動機の正転、逆転により本体部３２ａから伸び縮み（出没）自在なロッド３２ｂとを具えるボールネジ機構を用いた電動式シリンダが例示される。該駆動器３２は、ロッド３２ｂをベッド長さ方向に沿わせて配される。具体的には、駆動器３２の本体部３２ａは、第１のベッド枠半体４の補強材４ｃなどにブラケットなどを介して枢着され、垂直面内を傾動できる。また駆動器３２のロッド３２ｂは、前記回転軸３５に向かってのび、ブラケット３９を介して該回転軸３５に連結される。従って、駆動器３２のロッド３２ｂを伸縮させることによって、回動軸３５を回転させ、ひいては前記アーム体３０を垂直面内で傾動できる。
【００４６】
図６には、受け枠駆動部Ｄを含む機構の模式図を示す。
筒状部２２とスライド軸２３とのガタは実質的に無視しうる程度に小さく、これは自由度１のスライド対偶と考え得る。この機構では、リンク数が８個、自由度１のペアが１０となり、受け枠駆動部Ｄの機構の自由度Ｆは１、つまり限定機構を構成する。また原動節は駆動器３２の１つであるため、強制駆動となる。即ち、駆動器３２のロッド３２ｂを縮めアーム体３０を図において反時計回りに傾動させることによって、継ぎリンク３１は、第２の可動部９を持ち上げる。
【００４７】
第２の可動部９は、回転軸２５を支点として傾動することとなるため、スライド軸２３を筒状部２２に対してスライドさせつつ首振り部２５ｂを傾斜させながら上昇できる。第１の可動部８は、その自重によってベッド枠体２に載置された水平のままの状態を保つことができる。これにより、図６（Ｂ）のように、第２の可動部９は第１の可動部８と段差を生じつつ傾斜して上昇でき、前記初期リクライニング状態Ｒ１をとることができる。このときの第２の可動部９の水平面に対する傾斜の角度θは、前述の如く２〜１０度に抑制することが特に好ましい。
【００４８】
またさらにアーム体３０を反時計回りに傾動させることにより、第２の可動部９のスライド軸２３の抜け止め部２３ｂが筒状部２２の下端と接触し、第１の可動部８をともに持ち上げる。これにより、第２の可動部９と第１の可動部８とが初期リクライニング状態で最も上昇した状態の位置を保持したまま、該第１の可動部９を前記基部７に対して傾けて起き上がらせ後期リクライニング状態Ｒ２へと連続的に変化させ得る。
【００４９】
他方、後期リクライニング状態Ｒ２において、駆動器３２のロッド３２ｂを伸ばすことにより、先ず第１の可動部８の起き上がり角度αを徐々に減じ、該角度αが０度になった後に、第２の可動部９が下降を開始する。そして、初期リクライニング状態Ｒ１、水平状態Ｓへと連続的に変化できる。なお駆動器３２は、図示しないリモコンを使用してユーザーがベッド１に寝た状態で行うことができる。
【００５０】
図８には、本発明の他の実施形態を示している。
本実施形態では、筒状部２２が第１の可動部８に対して傾動不能に固着された場合を例示している。そして、筒状部２２とスライド軸２３とは、前記実施形態よりもガタツキ量を十分に大きく設定して遊挿される。このような実施形態では、第２の可動部８の上昇に際して、前記ガタによって第１の可動部８と第２の可動部９との相対角度変位を許容しうる。なお、筒状部２２を本例のように固定するとともに、スライド軸２３を傾動可能に第２の可動部９に設けても良い。
【００５１】
またこの実施形態では、アーム体３０と前記スライド軸２３とが伸展状態Ｓで当接するものが例示される。前記伸展状態Ｓにおいて、スライド軸２３は最も下方にスライドしており、この状態でスライド軸２３の下端（この例では抜け止め部２３ｂ）がアーム体３０の上面に静置される。受け枠駆動具Ｄによって、アーム体３０を傾動させると、継ぎリンク３０とスライド軸２３の押し上げにより、第２の可動部９を第１の可動部８に対して傾動させつつ上昇させることができる。
【００５２】
以上本発明の実施形態について説明したが、例えば受け枠駆動部Ｄは、電動機にて伸縮するロッドタイプのものに代えて、ラチエット機構を有して伸縮自在なロッドを有する手動式伸縮継手などを用いることもできる。この継手は、ユーザが手動で第２の可動部９を持ち上げた位置までロッドを伸ばすことができかつその位置をラチェットによって保持できる。これにより、初期リクライニング状態Ｒ１又は後期リクライニング状態Ｒ２に変化させ得る。ロッドは、一旦最大量までのばした後に縮めることができ、これにより伸展状態Ｓへと変化させることができる。
【００５３】
また、前記の実施形態では、第２の可動部９をユーザの頭部側として好適な例を示したが、これに限定されるわけではなく、例えば第１、第２の可動部８、９をユーザの足側として使用することも勿論可能である。この場合、ユーザの脚部を高く保持して、いわゆるフットアップにより足の血行を向上させることもできる。また本実施形態では、折畳み式であるが、非折り畳み式のベッドとしても良い。さらには、基部７を、第１、第２の可動部８、９とは独立して傾動ないし上昇させることもできる。以上のように本発明は上記の実施形態に限定されることなく種々の形態で実施しうる。
【００５４】
【発明の効果】
以上説明したように、請求項１記載の発明では、寝具を載置する寝具載置面を有する寝具受け枠を具えたベッドであって、前記寝具受け枠は、非傾動の基部、ベッド長さ方向の一端部がこの基部側で折曲げ可能に取り付けられる第１の可動部、及び前記第１の可動部の他端部側に、該第１の可動部に対して少なくとも上昇可能に設けられた第２の可動部とを含んでいる。そしてさらに、基部と第１の可動部と第２の可動部との寝具載置面が同一平面状となる伸展状態と、基部と第１の可動部との寝具載置面が同一平面状、かつ第２の可動部のみを第１の可動部に対して段差を有して小高さで上昇させた初期リクライニング状態と、第１の可動部と第２の可動部との相対位置を保持したまま第１の可動部を前記基部に対して傾けて起き上がらせた後期リクライニング状態とに変化させる受け枠駆動部を有している。
【００５５】
従って、単に寝具受け枠を折り曲げるだけのものに比して、多様な使い方が可能となる。とりわけ、第２の可動部にユーザの頭部を、第１の可動部に背中をそれぞれ載置することにより、初期リクライニング状態、後期リクライニング状態では、頸部への圧迫を減じつつ頭部を持ち上げることが可能となる。これにより、テレビの視聴、読書などにより最適なリクライニング状態を得ることができる。また初期リクライニング状態では、必要に応じて枕を用いなくてもあたかも枕を使用しているのと同様の寝心地を得ることができる。
【００５６】
また請求項２記載の発明のように、初期リクライニング状態は、前記第２の可動部が、第１の可動部に向かって下降する向きに２〜１０度の角度で傾くときには、第２の可動部にユーザの頭部を、第１の可動部に背中をそれぞれ載置した使用状態では、頸部への圧迫をより確実に減じ、より一層使い心地を向上することができる。
【００５７】
また請求項３記載の発明のように、前記第１の可動部と前記第２の可動部とは、高さ方向に位置ずれできかつ傾動可能に連結されることによって、第２の可動部を第１の可動部に対して段差を生じさせつつ上昇させることが容易に行える。
【００５８】
また請求項４記載の発明のように、第１の可動部と第２の可動部とを、第１の可動部の前記他端部に設けられた上下にのびる筒状部と、前記第２の可動部に設けられかつ前記筒状部を上下にスライドできかつ上方への最大スライド時に前記筒状部に抜け止め保持されるスライド軸とを用いて連結し、そして、受け枠駆動部で第２の可動部を押し上げることもできる。この場合、受け枠駆動部は、軸状体が上方へ最大スライドするまでは、第１の可動部だけを上昇させることにより前記段差を形成でき、さらに第２の可動部を押し上げることにより、第１の可動部と第２の可動部とをともに引き上げて第１の可動部を傾動させ得る。これにより、初期リクライニング状態と後期リクライニング状態とを連続してかつ容易に実現することができる。
【００５９】
また請求項５記載の発明のように、筒状部を、第１の可動部に対してベッド幅方向に沿った水平軸回りで傾動可能に設けたり、さらに請求項６記載の発明のように、スライド軸が、前記筒状部に隙間を有して遊挿されるときには、第１の可動部と第２の可動部とを傾動させるのに役立つ。
【図面の簡単な説明】
【図１】本実施形態のベッドの分解斜視図である。
【図２】ベッドの平面図である。
【図３】第１の可動部と第２の可動部との連結部を示す部分斜視図である。
【図４】（Ａ）、（Ｂ）は、連結部の断面図である。
【図５】寝具受け枠の変形状態を示す側面略図である。
【図６】（Ａ）〜（Ｃ）は、受け枠駆動部を模式的に示す線図である。
【図７】本発明のベッドの側面図である。
【図８】本発明の他の実施形態を示す第１の可動部と第２の可動部との連結部を示す部分側面図である。
【図９】従来のベッドの側面図である。
【符号の説明】
１  ベッド
２  ベッド枠体
３  寝具受け枠
４  第１のベッド枠半体
５  第２のベッド枠半体
７  基部
７Ａ  主体部
７Ｂ  副部
８  第１の可動部
９  第２の可動部
３０  アーム体
３１  継ぎリンク
３２  駆動器
Ｄ  受け枠駆動具
【図１】
2004305553.tif 000003
【図２】
2004305553.tif 000004
【図３】
2004305553.tif 000005
【図４】
2004305553.tif 000006
【図５】
2004305553.tif 000007
【図６】
2004305553.tif 000008
【図７】
2004305553.tif 000009
【図８】
2004305553.tif 000010
【図９】
2004305553.tif 000011